(57)【要約】      （修正有）【課題】使用する季節や環境（周辺温度など）に応じて揮散量を調節でき、一つの収納容器であらゆる季節や環境に対応可能な揮散性物質収納容器の提供。【解決手段】揮散性物質を含む薬剤担持体が収納される薬剤非吸着性の本体１と、１５〜１５０μｍの厚みを有する単層もしくは２層以上の透過性フィルム３に非透過性フィルム４を各層剥離可能に積層してなる蓋体２を備えた揮散性物質収納容器１において、前記非透過性フィルム４の剥離面積、又は前記透過性フィルム３の剥離枚数を選択自在とし、揮散性物質の揮散量を調節可能に構成した揮散性物質収納容器。【選択図】図１
2005187052.tif 000002
【特許請求の範囲】
【請求項１】
揮散性物質を含む薬剤担持体が収納される薬剤非吸着性の本体と、１５〜１５０μｍの厚みを有する単層もしくは２層以上の透過性フィルムに非透過性フィルムを各層剥離可能に積層してなる蓋体を備えた揮散性物質収納容器において、前記非透過性フィルムの剥離面積、又は前記透過性フィルムの剥離枚数を選択自在とし、揮散性物質の揮散量を調節可能に構成したことを特徴とする揮散性物質収納容器。
【請求項２】
非透過性フィルムの剥離面が、複数個に分割されてなることを特徴とする請求項１に記載の揮散性物質収納容器。
【請求項３】
透過性フィルムが、ポリオレフィンフィルムを２層以上剥離可能に積層してなることを特徴とする請求項１に記載の揮散性物質収納容器。
【請求項４】
揮散性物質が常温揮散性の殺虫・防虫成分で、これを昇華性担体に含有させた薬剤担持体が有効期間６ケ月用に製されたものであることを特徴とする請求項１ないし３のいずれかに記載の揮散性物質収納容器。
【発明の詳細な説明】
【技術分野】
【０００１】
本発明は、揮散性物質の揮散量を調節する容器に関するものである。
【背景技術】
【０００２】
従来より、揮散性物質の揮散量を調節するために様々な方法が採られてきた。例えば、特許第３４４８８７５号公報や特開平１−１４６８０３号公報に示すように、揮散体に添加物を配合せしめて揮散抑制する方法がある。また、特開２００３−９２９６６号公報や特開２００３−９２９６７号公報には、揮散体に凹凸加工を施して表面積を大きくする方法が開示され、特公平４−２５２４２号公報には揮散体を和紙などの吸着能力良好な材質の内装袋に収納させることによって揮散を調節する方法が記載されている。しかしながら、これらの方法は季節の変化に順応するものではなく、気温の異なる夏と冬では揮散量が異なるため、同一の容器では安定した十分な防虫・殺虫効力が得られない。つまり、夏には揮散を抑制し冬には揮散を促進させなければならず、十分な防虫・殺虫効果を得るためにはそれぞれ専用の容器を必要とする。
【特許文献１】特許第３４４８８７５号公報
【特許文献２】特開平１−１４６８０３号公報
【特許文献３】特開２００３−９２９６６号公報
【特許文献４】特開２００３−９２９６７号公報
【特許文献５】特公平４−２５２４２号公報
【発明の開示】
【発明が解決しようとする課題】
【０００３】
本発明は、揮散性物質を含み、特に数ヶ月ないし半年間有効な薬剤担持体に適用される収納容器であって、使用する季節や環境（周辺温度など）に応じて揮散量を調節でき、一つの収納容器であらゆる季節や環境に対応可能な揮散性物質収納容器を提供することを目的とする。
【課題を解決するための手段】
【０００４】
上記課題を解決するために、本発明は、次のような構成を採用する。
（１）揮散性物質を含む薬剤担持体が収納される薬剤非吸着性の本体と、１５〜１５０μｍの厚みを有する単層もしくは２層以上の透過性フィルムに非透過性フィルムを各層剥離可能に積層してなる蓋体を備えた揮散性物質収納容器において、前記非透過性フィルムの剥離面積、又は前記透過性フィルムの剥離枚数を選択自在とし、揮散性物質の揮散量を調節可能に構成した揮散性物質収納容器。
（２）非透過性フィルムの剥離面が、複数個に分割されてなる（１）に記載の揮散性物質収納容器。
（３）透過性フィルムが、ポリオレフィンフィルムを２層以上剥離可能に積層してなる（１）に記載の揮散性物質収納容器。
（４）揮散性物質が常温揮散性の殺虫・防虫成分で、これを昇華性担体に含有させた薬剤担持体が有効期間６ケ月用に製されたものである（１）ないし（３）のいずれかに記載の揮散性物質収納容器。
【発明の効果】
【０００５】
本発明の揮散性物質収納容器は、非透過性フィルムの剥離面積又は透過性フィルムの剥離枚数を選択することによって揮散性物質の揮散量を調節でき、使用する季節や環境に対応した適度な揮散性物質濃度を維持することが可能となる。特に、揮散性物質としての常温揮散性殺虫・防虫成分を昇華性担体に含有させ、有効期間６ケ月用に製した薬剤担持体を本発明の揮散性物質収納容器に適用した場合に有用であり、夏季又は冬季を挟むそれぞれの期間において、洋服ダンスや引き出しなどのイガ、カツオブシムシなどの衣料害虫に対して優れた害虫防除・忌避効果を奏する。
【発明を実施するための最良の形態】
【０００６】
本発明の揮散性物質収納容器は、薬剤担持体を収納する本体と蓋体とから構成される。
本体には薬剤非吸着性のプラスチック樹脂が用いられ、例えばＰＥＴ樹脂やＰＢＴ樹脂を含むポリエステル系樹脂やポリメタクリル酸メチル樹脂などが好適である。本体の大きさや形状は任意であり、薬剤担持体の大きさや形状、あるいはデザインに合わせて適宜決定すればよい。
【０００７】
本発明は、揮散性物質収納容器の蓋体を、非透過性フィルム（上層）と、１５μm〜１５０μm の厚みを有する単層もしくは２層以上の透過性フィルム（下層）とから構成し、非透過性フィルムの剥離面積もしくは透過性フィルムの剥離枚数を選択することによって、容器内に収納された揮散性物質の揮散量を調節可能としたことに特徴を有する。
【０００８】
蓋体の上層には揮散性物質を透過しない非透過性フィルムが剥離可能に貼着される。その厚みは任意であり、また材質としては、例えばポリエステル系樹脂やポリメタクリル酸メチル樹脂、ナイロン、アルミ蒸着フィルムなどがあげられるがこれらに限定されるものではない。
この非透過性フィルムは、流通保存中揮散性物質の透過ロスを防止し、使用後はその剥離面積により揮散性物質の揮散量調節機能を有する。
調節方式としては、例えば容器天面部に相応する非透過性フィルムの剥離面を２分割し、その１分割分を剥離した場合は夏季を挟む６ケ月用、また全部を剥離した場合は冬季を挟む６ケ月用の如く設計すればよい。２分割の他、３ないし６分割のいずれを採用しても構わないが、使用者の利便性を考慮すると、３分割（夏季用：１／３剥離、春又は秋季用：２／３剥離、冬季用：３／３剥離）程度が適当である。
また、非透過性フィルムは使用者が剥離しやすいように、端部に非貼着部を設けたり、端部が幾分離間した構造とすれば便利である。
【０００９】
一方、蓋体の下層に用いられる透過性フィルムは揮散性物質を透過するものであり、その材質としては本発明の目的に合致する限り特に限定されず、例えばポリエチレン樹脂やポリプロピレン樹脂などのポリオレフィン樹脂、あるいはレーヨンなどの不織布などを例示できる。なかでもポリオレフィンフィルムが性能的に優れており使いやすい。なお、透過性フィルムの厚みは、揮散性物質の種類や所望の揮散量に応じ１５μm〜１５０μmの範囲で適宜決定すればよいが、好ましくは２０μm〜８０μmが適当である。
本発明では、この透過性フィルムを単層もしくは２層以上各層剥離可能に積層し、剥離枚数の選択によっても揮散性物質の揮散量調節を可能とする。ここで剥離可能とは必ずしも予め各層接着されていることを必然とせず、２層以上の場合単に積層される形態も包含し、通常２〜６層程度が適当である。例えば４層積層体であれば、１枚剥離を夏季用、２枚剥離を春又は秋季用、３枚剥離を冬季用の如く設計すればよい。
【００１０】
本発明で用いられる揮散性物質としては、殺虫・防虫成分、香料成分、抗菌成分、忌避成分、消臭成分など各種のものが適用可能であり、これらを昇華性担体（２，４，６−トリイソプロピル−１，３，５−トリオキサン、アダマンタンなど）、セルロース系担体（紙、パルプ、ビスコースなど）などの多孔質担体、あるいはゲルなどに担持させてあらゆる形態の薬剤担持体を得ることができる。
【００１１】
殺虫・防虫成分としては、エムペントリン、テフラメトリン及び一般式（Ｉ）
【化１】
2005187052.tif 000003
（式中、Ｘ及びＹは同一又は相異なって水素原子、メチル基、ハロゲン原子又はトリフルオロメチル基を表し、Ｚは水素原子、フッ素原子、メチル基、メトキシメチル基又はプロパルギル基を表す）で表されるフッ素置換ベンジルアルコールエステル化合物があげられる。
一般式（Ｉ）で表される化合物の具体例としては、２，３，５，６−テトラフルオロベンジル−クリサンテマート（以後、化合物Ａと称す）、２，３，５，６−テトラフルオロベンジル−２，２−ジメチル−３−（１−プロペニル）シクロプロパンカルボキシレート（以後、化合物Ｂと称す）、２，３，５，６−テトラフルオロベンジル−２，２−ジメチル−３−（２，２−ジクロロビニル）シクロプロパンカルボキシレート（以後、化合物Ｃと称す）、４−メチル−２，３，５，６−テトラフルオロベンジル−クリサンテマート（以後、化合物Ｄと称す）、４−メチル−２，３，５，６−テトラフルオロベンジル−２，２−ジメチル−３−（１−プロペニル）シクロプロパンカルボキシレート（以後、化合物Ｅと称す）、４−メチル−２，３，５，６−テトラフルオロベンジル−２，２−ジメチル−３−（２，２−ジフルオロビニル）シクロプロパンカルボキシレート（以後、化合物Ｆと称す）、４−メトキシメチル−２，３，５，６−テトラフルオロベンジル−クリサンテマート（以後、化合物Ｇと称す）、４−メトキシメチル−２，３，５，６−テトラフルオロベンジル−２，２−ジメチル−３−（１−プロペニル）シクロプロパンカルボキシレート（以後、化合物Ｈと称す）、２，３，４，５，６−ペンタフルオロベンジル−２，２−ジメチル−３−（２−クロロ−２−トリフルオロメチルビニル）シクロプロパンカルボキシレート（以後、化合物Ｉと称す）、又は４−プロパルギル−２，３，５，６−テトラフルオロベンジル−２，２−ジメチル−３−（１−プロペニル）シクロプロパンカルボキシレート（以後、化合物Ｊと称す）をあげることができる。これらの化合物は一種類を使用してもよいし、又は二種類以上の化合物を組み合わせて使用してもよい。なお、一般式（Ｉ）で表される化合物には、その不斉炭素や二重結合に基づく光学異性体や幾何異性体が存在するが、これらの各々やそれらの任意の混合物の使用も本発明に含まれるのは勿論である。
【００１２】
また、香料成分の具体例としては、シトロネラール、シトロネオール、シトラール、ゲラニオール、メントール、カルボン、サフロール、ヒノキチオールなどの合成香料、シトロネラ油、ユーカリ油、ラベンダー油などの天然香料をあげることができ、防虫性香料を選択すれば、芳香感とともに虫よけ効果が付与された組成物が得られる。
【００１３】
前記揮散性物質を含む薬剤担持体を調製するにあたっては、必要に応じ、溶剤、界面活性剤、ゲル化剤、安定剤、着色剤、帯電防止剤などを適宜配合し、従来公知の方法によって各種担体に含有させればよい。溶剤としては、灯油などの炭化水素類、エタノールなどのアルコール類、グリコール類、エステル類などをあげることができ、界面活性剤としてはポリオキシエチレンアルキルエーテル類、ポリオキシエチレン高級脂肪酸エステル類、ポリオキシエチレングリセリルエーテル類を例示できる。また、ゲル化剤としては、ゼラチン、カラギーナン、高級脂肪酸塩、アシルアミン酸誘導体などがあげられる。
【００１４】
こうして得られた薬剤担持体を本発明の揮散性物質収納容器に収納し、各種形態の製品が製される。そして、この製品の使用に際し、収納容器の非透過性フィルムの剥離面積又は透過性フィルムの剥離枚数を選択することによって揮散性物質の揮散量を調節でき、使用する季節や環境に対応した適度な揮散性物質濃度を維持することが可能となる。
本発明の揮散性物質収納容器は、揮散性物質の種類に応じて多岐の分野に適用され、殺虫・防虫成分の場合、洋服ダンスや引き出しなどのイガ、カツオブシムシなどの衣料害虫、あるいは屋内の蚊や蚋、ハエ、ユスリカなどの各種害虫に対して優れた害虫防除・忌避効果を奏する。また、香料成分の場合は、季節や使用部屋などに合わせて芳香感を加減することができる。
特に、殺虫・防虫成分を昇華性担体に含有させて有効期間６ケ月用の薬剤担持体を製し、本発明の揮散性物質収納容器を適用した場合、本揮散量調節システムの有用性が高い。これは、揮散性物質と昇華性担体が共に透過性フィルムを透過する状況下では、揮散性物質のみが揮散する薬剤担持体に比べて環境条件の影響を受けやすいものと考えられ、夏季又は冬季を挟むそれぞれの期間において、より効率的な害虫防除が達成される。
【００１５】
次に、具体的実施例ならびに試験例に基づいて、本発明の揮散性物質収納容器、及びこの収納容器の使用方法を更に詳細に説明する。
【実施例１】
【００１６】
図１は本発明の揮散性物質収納容器の第１実施例の断面図を、図２はその平面図を示す。
揮散性物質収納容器は、ＰＢＴ樹脂からなる本体１（直径４ｃｍ、深さ２ｃｍ）とその天面に蓋体２を備え、蓋体２は下層に位置する単層の透過性フィルム３（材質：ポリエチレン樹脂、厚み：３０μｍ）及びその上層に積層される非透過性フィルム４（材質：ＰＢＴ樹脂、厚み：１２０μｍ）から構成されている。非透過性フィルム４上の剥離面は、図２の如く２分割されており、そのそれぞれに剥離用切片５が設けられている。
揮散性薬剤としての化合物Ｅ２０ｍｇを昇華性担体（サンサブリ：シス−シス−２，４，６−トリイソプロピル−１，３，５−トリオキサン）２ｇに担持させた薬剤担持体６を調製し、これを本発明の揮散性物質収納容器に収納した。
【００１７】
前記揮散性物質収納体３個を用い、それぞれ非透過性フィルム４上の剥離面の半面分を剥離した後、衣類が多数収納された５０Ｌの引き出しに入れ５月から１１月にかけて使用した。夏季においても有効成分揮散量は適度に調節され、６ヶ月にわたりイガ、コイガ、カツオブシムシなどの衣料害虫の防除に有効であった。
一方、１１月から５月にかけての６ケ月間は、非透過性フィルム４上の剥離面の全面分を剥離して使用したところ、前記夏季を挟む場合とほぼ同等の有効成分揮散量を示すことが認められた。
【実施例２】
【００１８】
図３は本発明の揮散性物質収納容器の第２実施例の平面図を示す。
揮散性物質収納容器の構成は実施例１に準じ、非透過性フィルム４の剥離面を、図３の如く６分割したものである。この実施例では、３ケ月用の薬剤担持体に対応でき、例えば、夏季用：２枚剥離、春又は秋季用：４枚剥離、冬季用：６枚剥離のように設計すれば効果的であった。
【実施例３】
【００１９】
図４は本発明の揮散性物質収納容器の第３実施例の断面図を示す。
揮散性物質収納容器は、ポリメタクリル酸メチル樹脂からなる本体１（１０ｃｍ×１５ｃｍ×１ｃｍ）と両側面に位置する蓋体２及び２'からなり、蓋体２及び２'はいずれも単層の透過性フィルム３（材質：ポリプロピレン樹脂、厚み：５０μｍ）及びその上層の非透過性フィルム４（材質：ＰＥＴ樹脂、厚み：１５０μｍ）から構成されている。
揮散性薬剤としてのエムペントリン４００ｍｇをパルプ製マット（目付：１１５０ｇ／ｍ2、厚さ：２．８ｍｍ）に担持させた６ケ月用の薬剤担持体６を調製し、これを本発明の揮散性物質収納容器に収納した。
【００２０】
揮散性物質収納体に装着されている２枚の非透過性フィルム４のうち片面を剥離し、衣類が多数収納された７００Ｌの洋服ダンスで、夏季（室温３０℃）を挟み６ヶ月間使用した。１日当たりの薬剤揮散量は平均で約１．５ｍｇで、６ヶ月にわたりイガ、コイガ、カツオブシムシなどの衣料害虫の食害を受けることはなかった。
一方、冬季を挟む場合は両面とも剥離して６ヶ月間使用したが、平均の薬剤揮散量ならびに防除効果とも前記夏季を挟む場合と同様であった。
【実施例４】
【００２１】
図５は本発明の揮散性物質収納容器の第４実施例の断面図を示す。
揮散性物質収納容器は、ＰＥＴ樹脂からなる本体１（直径８ｃｍ、高さ６ｃｍ）と蓋体２からなり、蓋体２は４層の透過性フィルム３（材質：ポリエチレン樹脂、厚み：２０μｍ×４）及びその上層の非透過性フィルム４（材質：ＰＢＴ樹脂、厚み：１００μｍ）から構成されている。
シトロネラール及びユーカリ油を含む揮散性薬剤３．０ｇをゲル化剤（ステアリン酸ナトリウム、プロピレングリコール、プロピレングリコールジアセテートなどを含む組成物）１００ｇに担持させた３ケ月用の薬剤担持体６を調製し、これを本発明の揮散性物質収納容器に収納した。
【００２２】
春季は非透過性フィルム４とともに４層の透過性フィルム３のうちの２層を剥離後、揮散性物質収納体をリビングに置いて使用した。芳香感が３ケ月間持続し、虫よけ効果も期待できた。なお、同時期寝室で使用する場合は、匂いを抑えるため、別の揮散性物質収納体につき、透過性フィルム３のうちの１層のみ剥離して使用した。また、夏季にリビングで３ケ月間使用する場合も、１層のみの剥離で十分な芳香感と虫よけ効果を奏することが認められた。
【実施例５】
【００２３】
実施例１及び実施例２に準じ、種々の揮散性物質を多孔質担体に担持させた６ケ月用の薬剤担持体を調製し、これを各種揮散性物質収納容器に収納した。なお、揮散性物質の担持量は５０Ｌの引き出し当たり８０ｍｇとした。
所定量の揮散性物質収納体を衣類の詰まった５０Ｌの引き出しに入れて６ケ月間使用し、定期的に衣類上にイガ幼虫を放飼して揮散性物質収納体の食害防止効果を調べた。結果は、○、△、×で評価し、併せて表１に示した。
○：十分な食害防止効果、△：中程度の食害防止効果、×：食害防止効果なし
【００２４】
【表１】
2005187052.tif 000004
【００２５】
試験の結果、本発明の揮散性物質収納容器を用いた揮散性物質収納体は、非透過性フィルムの剥離面積を調節することによって、季節を問わず６ヶ月間優れた害虫防除効果を示すことが認められた。
これに対し、従来の揮散性物質収納容器を用いた比較例１は、非透過性フィルムを全面ごと剥離せざるを得ず、夏季を挟んで６ケ月使用した場合は、終期の効力が不足した。また、比較例２のように、透過性フィルムの厚みが１５０μｍを超えた収納容器は揮散性能が低下し、ＰＥフィルムに替えてＰＥＴフィルムを使用した場合（比較例３）は、厚みが薄くても不適であった。
【図面の簡単な説明】
【００２６】
【図１】本発明の揮散性物質収納容器の第１実施例の断面図を示す。
【図２】その平面図を示す。
【図３】本発明の揮散性物質収納容器の第２実施例の平面図を示す。
【図４】本発明の揮散性物質収納容器の第３実施例の断面図を示す。
【図５】本発明の揮散性物質収納容器の第４実施例の断面図を示す。
【符号の説明】
【００２７】
１：容器本体
２：蓋体
３：透過性フィルム
４：非透過性フィルム
５：剥離用切片
６：薬剤担持体
【図１】
2005187052.tif 000005
【図２】
2005187052.tif 000006
【図３】
2005187052.tif 000007
【図４】
2005187052.tif 000008
【図５】
2005187052.tif 000009